(57)【特許請求の範囲】
【請求項１】
取出し口を有するケース本体と、該ケース本体に取着された開閉部材とからなる粒状物ケースであって、
開閉部材は、固定部と、該固定部に蝶番用連結部により連設された取出し口を開閉する開閉蓋部とを具えており、
開閉蓋部が、蝶番用連結部を軸に廻動することによって取出し口を開き、連結部の復元により閉じることを特徴とする粒状物ケース。」
【請求項２】
取出し口を有するケース本体と、該ケース本体に取着された開閉部材とからなる粒状物ケースであって、
ケース本体は、取出し口と開閉部材の取付孔が設けられており、
開閉部材は、取付孔に係合する取付突条を設けた固定部と、該固定部に蝶番用連結部により連設された取出し口を開閉する開閉蓋部とを具えており、
開閉蓋部を廻動させることによって取出し口を開き、連結部の復元により閉じるようにしたことを特徴とする粒状物ケース。
【請求項３】
取出し口を有するケース本体と、該ケース本体に取着された開閉部材とからなる粒状物ケースであって、
ケース本体は、取出し口と開閉部材の取付孔が設けられており、
開閉部材は、取付孔に係合する取付突条を設けた固定部と、該固定部に蝶番用連結部により連設された取出し口を開閉する開閉蓋部とを具えており、
開閉蓋部の裏面に取出し口に係合する凸部を設け、閉蓋時に、開閉蓋部が妄動しないようにしたことを特徴とする粒状物ケース。
【請求項４】
固定部の連結部側の端面の上下端をストッパーとしたことを特徴とする請求項１〜３のいずれかに記載の粒状物ケース。
【発明の詳細な説明】
【０００１】
【発明の属する技術分野】
本発明は、錠剤、粒状菓子等の粒状物ケースに関する。
【０００２】
【従来の技術】
錠剤、粒状菓子等の粒状物を入れた携帯用の粒状物ケースにおいて、取出し口をスライド自在の開閉蓋によって開閉するようにしたもの、あるいは廻動式の開閉蓋によって開閉するようにしたものは、従来より知られている。
【０００３】
【発明が解決しようとする課題】
しかし、上記従来の容器では、開閉蓋の開閉は手動であり、開閉蓋が妄動しないようにしているので、操作自体も軽便ではなかった。
また、内容物の取出し後、開閉蓋を閉め忘れることもあり、取出し口が開かれたままになることがあった。
これを防止するために、開閉蓋を閉鎖方向に付勢するスプリング等の復帰手段を設け、ワンタッチで開閉蓋を開き、自動的に閉じるようにした容器も提案されているが、構造が複雑になり、生産コストも高くつくという問題があった。
【０００４】
本発明は、取出し口を開き、粒状物を所望数吐出させた後に、開閉蓋から手を離したときに、開閉蓋が自動的に閉じるようにして開閉操作がワンタッチでできる携帯可能な錠剤、菓子類などの粒状物ケースを提供することを目的とする。
【０００５】
【課題を解決するための手段】
本発明は、上記の課題を解決するため、粒状物ケースとして、取出し口を有するケース本体と、該ケース本体に取着された開閉部材とからなる粒状物ケースであって、開閉部材は、固定部と、該固定部に蝶番用連結部により連設された取出し口を開閉する開閉蓋部とを具えており、開閉蓋部が、蝶番用連結部を軸に廻動することによって取出し口を開き、連結部の復元により閉じることを特徴とする構成を採用する。
【０００６】
具体的な実施形態として、取出し口を有するケース本体と、該ケース本体に取着された開閉部材とからなる粒状物ケースであって、ケース本体は、取出し口と開閉部材の取付孔が設けられており、開閉部材は、取付孔に係合する取付突条を設けた固定部と、該固定部に蝶番用連結部により連設された取出し口を開閉する開閉蓋部とを具えており、開閉蓋部を廻動させることによって取出し口を開き、連結部の復元により閉じるようにしたことを特徴とする構成を採用する。
【０００７】
また、閉蓋時の開閉蓋部の妄動を防ぐための別実施形態として、取出し口を有するケース本体と、該ケース本体に取着された開閉部材とからなる粒状物ケースであって、ケース本体は、取出し口と開閉部材の取付孔が設けられており、開閉部材は、取付孔に係合する取付突条を設けた固定部と、該固定部に蝶番用連結部により連設された取出し口を開閉する開閉蓋部とを具えており、開閉蓋部の裏面に取出し口に係合する凸起を設け、閉蓋時に、開閉蓋部が妄動しないようにしたことを特徴とする構成を採用する。
【０００８】
また、開閉部材の廻動角度を規制するため、固定部の連結部側の端面の上下端をストッパーとした。
【０００９】
【発明の実施の形態】
次に、本発明の実施形態について、図面を参照して説明する。
図１，２において、Ａはケース本体、Ｂはケース本体Ａに取着された開閉部材である。
ケース本体Ａは、合成樹脂によって成形されており、下ケースＡ１と上ケースＡ２とを具え、両者は蝶番Ａ３によって開閉自在として結合されている。
【００１０】
下ケースＡ１は、ドーム状の底壁１と側周壁２とを具えており、側周壁２の蝶番Ａ３の対称位置には、取出し口３の下半部３ａが刻設されている。
取出し口３から一定距離を隔てた位置に、上端を係止部４とした一対の係止片５ａ，ｂが立設されており、蝶番Ａ３の中心を通る中心線に直交する中心軸線より蝶番寄り、少なくとも側周壁の高さだけ離れた位置に端部を有する開閉部材Ｂの取付孔６が刻設されている。
【００１１】
上ケースＡ２は、ドーム状の頂壁１０と側周壁１１とを具えており、側周壁１１は、下ケースＡ１の側周壁２とともにケース本体Ａの外周壁１２を形成し、側周壁１１の蝶番Ａ３の対称位置には取出し口３の上半部３ｂが刻設されている。
側周壁１１の内周上端には、前記下ケースＡ１の係止片５ａ，ｂに対応する位置に、係止部４に係合する掛止め突起１３が突設されている。
蝶番Ａ３は、上下のケースＡ１，Ａ２を閉じたとき、外周壁１２と面一になるように形成されている。
【００１２】
開閉部材Ｂは、ＰＰを素材樹脂として成形されており、ケース本体Ａの外周壁１２の外周に嵌挿されるリング２０を具えている。
リング２０には、上下を凹状に削って形成した蝶番用の一対の連結部２１ａ、２１ｂが設けられており、連結部は、蝶番として廻動・復元可能である。
連結部２１ａ，ｂの一方の側の端部は、リング２０の一つの直径軸線上に位置している。
【００１３】
リング２０は、連結部２１ａ，ｂを境に固定部２２と開閉蓋部２３に分けられ、固定部２２内周には、連結部２１ａ，ｂから一定距離はなれて、ケース本体Ａの取付孔６に係合する取付突条２４が突設されており、開閉蓋部２３の外周には、蝶番用の連結部２１ａ、２１ｂを通る軸に直交する位置に、摘み２５が設けられている。
【００１４】
固定部２２の蝶番用連結部２１側の端縁を垂直面、或いは垂直に近い傾斜面とし、その上下端を開閉蓋部２３の廻動角度を規制するストッパー２２ａとしており、開閉操作を容易にしている。
開閉蓋部２３の廻動角度は、連結部２１から開閉蓋部２３の中心部までの距離と開閉蓋部２３の巾または取り出し口の高さによって規制されるが、連結部２１の長さ、開閉蓋部２３の端縁の傾斜角度を適宜選択することによって設定することができる。
廻動角度は、少なくとも取出し口３が全開されるだけ廻動できればよいが、操作の容易性からいうと、４５゜以内であればよく、２０゜前後が好ましい。
【００１５】
次に、本粒状物ケースの使用態様と、その作用効果について説明する。
まず、ケースの組立について述べる。
図３に示すように、ケース本体Ａの上下のケースＡ１，Ａ２を開いた状態にしておいて、固定部２２を下方にして、リング２０をケース本体Ａの下ケースＡ１に挿入し、取付突条２４を取付孔６に嵌挿し、リング２０を水平にしながら上ケースＡ２を閉じると、取付突条２４が取付孔６に嵌合され、リング２０の固定部２２がケース本体Ａに固定される。
開閉部材Ｂは、外周壁１２を囲むようにしてケース本体Ａに締着される。
【００１６】
図４に示すように、取出し口３の開閉は、リング２０の開閉蓋部２３の摘み２５を持って上下いずれかの方向に廻動させると、開閉蓋部２３が連結部２１ａ、２１ｂを軸として廻動され、取出し口３を開くことができる。
次いで、開閉蓋部２３から手を離すと、連結部２１ａ、２１ｂが復元するので、自動的に取出し口３を閉じることになる。
【００１７】
上記粒状物ケースには、錠剤、粒状菓子等が入れられるが、摘み２５を持ってリング２０をいずれかの方向に廻動させても取出し口３が開き、粒状物を取り出すことができ、所望数出したときに摘み２５から手を離すと、開閉蓋部２３は直ちに復元して取出し口３が閉められる。
したがって、開閉操作がワンタッチででき、いずれの方向に廻動させてもよいので使い勝手がよい。
【００１８】
次に、別実施形態について説明する。
上記実施形態では粒状物ケースと開閉部材を円形としたが、図５に示すように、角形にしてもよい。
図において、Ａａはケース本体、Ｂａは開閉部材であり、いずれも横断面が角形である点で前記実施形態と異なっている。
【００１９】
ケース本体Ａａは、前記実施形態と同様に、下ケースＡ１ａと上ケースＡ２ａとからなっており、両者は蝶番Ａ３ａによって連結されている。
下ケースＡ１ａは、底壁３０と側周壁３１とを具え、側周壁３１には、取出し口３２の下半部３２ａと上端を係止部３３とした係止片３４、開閉部材の取付孔３５が設けられている。
上ケースＡ２ａは、頂壁３６と側周壁３７とを具え、取出し口３２の上半部３２ｂと掛止め突起３８が設けられている。
【００２０】
開閉部材Ｂａは、ケース本体Ａａの外周壁に装着される固定部４０と蝶番用の連結部４１、開閉蓋部４２とからなっており、固定部４０には、取付突条４３が設けられ、開閉蓋部４２には、取出し口３２に対応する位置に、摘み４４が設けられている。
【００２１】
本実施形態の粒状物ケースの使用態様とその作用効果は、前記実施形態のそれと同様である。
【００２２】
前記各実施形態では、開閉部材Ｂ、Ｂａの取着を、その取付突条２４、４３を本体ケースＡ、Ａａの取付孔６、３５に嵌合するようにして、本体ケースＡ、Ａａに固定するようにしたが、固定部の後部を切断して連結部に連設された短い一対の固定板として、該固定板をケース本体Ａ、Ａａの下ケースＡ１、Ａ１ａの側周壁２、３１に溶着するようにしてもよい。
その場合には、取付突条と取付孔は設ける必要はない。
【００２３】
また、本体ケースを、下ケースと該下ケースに蝶番によって開閉自在に取着した蓋板によって構成し、係止片と掛止め突起に用いて蓋板を閉じるようにし、固定部を下ケースすなわちケース本体の側周壁に溶着するようにしてもよく、本体ケースの形状、開閉部材の固定部の本体ケースへの固定手段は、前記各実施形態に限定されない。
【００２４】
前記各実施形態では、蝶番用の連絡部が一定の厚さを有し、復元可能としているが、連結部の厚さが薄く、復元不可能の場合には、開閉部の裏面に取出し口に係合する凸部を設けてもよい。
図６において、５０は開閉部材を形成するリング、５１は連結部、５２は固定部、５３は開閉蓋部であり、開閉蓋部５３の摘み５４の裏面には、取出し口に係合する凸部５５が設けられている。
そのことによって、開閉蓋部を閉じたときに、取出し口を塞ぐとともに開閉蓋部の妄動を防止することができる。
【００２５】
【発明の効果】
本発明は、上記のように構成されているから、次の効果を奏する。
開閉部材として蝶番用連結部を設け、固定部と開閉蓋部を有するリングをケース本体に取着し、開閉蓋部をいずれかの方向に廻動させることによってケース本体の取出し口を開くようにし、とくに連結部を復元可能にしたことによって、手を離すと、連結部の復元により開閉蓋部が自動的に閉じるようにしているから、開閉操作がワンタッチでできる。
【００２６】
また、開閉蓋部の裏面取出し口に係合する凸部を設けることによって、連結部の復元力が弱い場合にも、閉蓋時に開閉蓋部の妄動を防ぐことができる。
したがって、粒状物ケースとして簡単な構造で、かつ操作性のよい粒状物ケースを得ることができた。
【図面の簡単な説明】
【図１】本発明粒状物ケースの断面正面図である。
【図２】粒状物ケースの分解斜視図である。
【図３】ケース本体を開き、ケース組立時の断面正面図である。
【図４】取出し口を開いたときの図で（ａ）は斜視図、（ｂ）は断面正面図である。
【図５】別実施形態粒状物ケースの分解斜視図である。
【図６】開閉部材の一実施例の断面図である。
【符号の説明】
Ａ、Ａａ        ケース本体
Ａ１、Ａ１ａ    下ケース
Ａ２、Ａ２ａ    上ケース
Ａ３、Ａ３ａ    蝶番
Ｂ、Ｂａ        開閉部材
１、３０        底壁
２、３１        側周壁
３、３２        取出し口
３ａ、３２ａ    下半分
３ｂ、３２ｂ    上半分
４、３３        係止部
５ａ，ｂ、３４  係止片
６、３５        取付孔
１０、３６      頂壁
１１、３７      側周壁
１２            外周壁
１３、３８      掛止め突起
２０、５０      リング
２１ａ，ｂ、５１、４１  連結部
２２、４０、５２    固定部
２２ａ              ストッパー
２３、４２、５３    開閉蓋部
２４、４３          取付突条
２５、４４、５４    摘み
５５                凸部
【図１】
0004233773.tif 000002
【図２】
0004233773.tif 000003
【図３】
0004233773.tif 000004
【図４】
0004233773.tif 000005
【図５】
0004233773.tif 000006
【図６】
0004233773.tif 000007